(57)【要約】【課題】配光レンズを複雑化することなく、撮像倍率の変化に対応させて照明光の配光を変化させることができ、撮像倍率を高めても静止画像のブレをなくすこと。【解決手段】電子内視鏡システム１によれば、術者が変倍レバー４０を操作すると、その操作位置に合わせてモータ１５が駆動され、撮像光学系１０の撮像倍率が設定されると共に、電磁石２７ａ，２７ｂに駆動電流が供給され、第１，第２照明光学系２０ａ，２０ｂの照明方向が変更される。さらに、設定された倍率に基づいて撮像素子１２の電荷蓄積時間、すなわち、シャッター速度が変更される。例えば、倍率が標準から拡大方向に変更されると、撮像倍率が高くなり、照明方向が内側に向けて変更され、シャッター速度は高速側に変更される。これにより、撮影倍率に応じて照明範囲の重複部分が変化し、倍率が高い場合には重複部分を多くして照度を上げることができる。【選択図】図１
2009022374.tif 000002
【特許請求の範囲】
【請求項１】
内視鏡挿入部の先端に配置された対物レンズにより形成される対象物の像を電荷蓄積型の撮像素子により撮像する撮像光学系と、
前記撮像光学系の撮像倍率を変化させる撮像倍率変更手段と、
光源から発した照明光をライトガイドを介して前記内視鏡挿入部の先端に導き、配光レンズを介して対象物を照明する照明光学系と、
前記照明光学系による照明光の照射方向を変更する照明方向変更手段と、
前記撮像時間を変更することによりシャッター速度を変更するシャッター速度変更手段と、
内視鏡の操作者により操作される倍率変更指示手段と、
前記倍率変更指示手段により撮像倍率を高めるよう指示された場合に、前記撮像倍率変更手段を制御して撮像倍率を高め、前記照明方向変更手段を制御して照明光の照射方向を撮影範囲の中心に向けて変更すると共に、前記シャッター速度変更手段を制御してシャッター時間を高速側に変更する制御手段とを備えることを特徴とする電子内視鏡システム。
【請求項２】
前記照明光学系は、該照明光学系の配光レンズが前記撮像光学系の対物レンズを中心としてほぼ回転対称に配置されるよう複数設けられ、前記制御手段は、前記撮像倍率が高くなるにしたがい、前記複数の照明光学系の照射範囲の重複部分が増加するように前記照明方向を変更することを特徴とする請求項１に記載の電内視鏡システム。
【請求項３】
前記照明方向変更手段は、前記ライトガイドの射出端の方向を、固定された配光レンズに対して変更することを特徴とする請求項１または２に記載の電子内視鏡システム。
【請求項４】
前記照明方向変更手段は、前記ライトガイドの射出端を支持する弾性材を備え、該弾性材の一端を内視鏡挿入部の外壁側に固定し、他端をフリーにして磁性体を取り付け、該磁性体に対向して電磁石を配置し、該電磁石への通電量を変化させることにより、ライトガイドの射出端の方向を変化させることを特徴とする請求項３に記載の電子内視鏡システム。
【請求項５】
前記弾性材には、ストレインゲージが取り付けられ、前記制御手段は、前記ストレインゲージからの出力信号をフィードバックして前記電磁石への通電量を制御することを特徴とする請求項４に記載の電子内視鏡システム。
【発明の詳細な説明】
【技術分野】
【０００１】
本発明は、体腔内等の対象部位の画像を撮像素子により電子的に撮影して表示させる電子内視鏡システムに関し、特に、対象部位を拡大観察する際の照明手段の制御に関する。
【背景技術】
【０００２】
電子内視鏡システムは、内視鏡挿入部の先端に配置された対物レンズにより形成される対象物の像を撮像素子により撮像し、この撮像素子から出力される映像信号を画像処理装置により処理して外部のモニタ画面に表示する。操作者は、モニタ画面に動画、または静止画として表示される画像を観察して撮影対象部位の状態を把握する。
【０００３】
電子内視鏡により撮影された画像に基づいて撮影対象部位の診断をするためには、対象部位を拡大して観察したいという要請がある。拡大することにより、対象部位である病変部の組織構造をより詳細に観察することができ、組織の形状変化だけでなく、毛細血管の密集状況等も診断することができる。
【０００４】
このため、従来の電子内視鏡システムには、撮影倍率を変化させる撮影倍率変更手段が備えられている。撮影倍率変更手段は、対物レンズを構成する複数のレンズ群の間隔をモータを利用して変更することにより結像倍率を変化させる。システムの制御装置は、内視鏡操作部に設置されたダイヤルが操作者により操作されると、この操作に応じてモータを駆動し、撮影倍率を変化させる。
【０００５】
また、特許文献１には、撮影倍率が変化した際にも撮像光学系の撮影範囲を無駄なく、かつ、有効に照明するため、撮影範囲の変更に合わせて照明光の配光角を変化させるようにした電子内視鏡装置が開示されている。
【０００６】
【特許文献１】特開平０７−０００３５９号公報
【発明の開示】
【発明が解決しようとする課題】
【０００７】
しかしながら、特許文献１の構成では、撮像光学系の対物レンズのみでなく、照明光学系の配光レンズにも配光角を可変にするために光軸方向に移動可能なレンズ群が必要となる。特に、外界に接するレンズは内視鏡に固定されている必要があるため、配光角を変化させるには複数のレンズ群が必要となり、光学系の構成が複雑となる。
【０００８】
一方、撮像倍率を高くすると、内視鏡挿入部の先端を僅かに移動させても、表示されるモニタ画面上の画像は大きく移動し、特に、静止画像のキャプチャー時に画像がブレるという問題がある。
【０００９】
本発明は、このような従来技術の問題点に鑑みてなされたものであり、照明光学系の配光レンズを複雑化することなく、撮像倍率の変化に対応させて照明光の配光を変化させることができ、かつ、撮像倍率を高めても静止画像のブレをなくすことができる電子内視鏡システムを提供することを目的(課題)とする。
【課題を解決するための手段】
【００１０】
上記の課題を解決するために案出された本発明の電子内視鏡システムは、内視鏡挿入部の先端に配置された対物レンズにより形成される対象物の像を電荷蓄積型の撮像素子により撮像する撮像光学系と、撮像光学系の撮像倍率を変化させる撮像倍率変更手段と、光源から発した照明光をライトガイドを介して内視鏡挿入部の先端に導き、配光レンズを介して対象物を照明する照明光学系と、照明光学系による照明光の照射方向を変更する照明方向変更手段と、撮像時間を変更することによりシャッター速度を変更するシャッター速度変更手段と、内視鏡の操作者により操作される倍率変更指示手段と、倍率変更指示手段により撮像倍率を高めるよう指示された場合に、撮像倍率変更手段を制御して撮像倍率を高め、照明方向変更手段を制御して照明光の照射方向を撮影範囲の中心に向けて変更すると共に、シャッター速度変更手段を制御してシャッター時間を高速側に変更する制御手段とを備えることを特徴とする。
【００１１】
照明光学系は、照明光学系の配光レンズが撮像光学系の対物レンズを中心としてほぼ回転対称に配置されるよう複数設けられることが望ましい。この場合、制御手段は、撮像倍率が高くなるにしたがい、複数の照明光学系の照射範囲の重複部分が増加するように照明方向を変更することが望ましい。
【００１２】
また、照明方向変更手段は、ライトガイドの射出端の方向を、固定された配光レンズに対して変更することが望ましい。具体的には、ライトガイドの射出端を支持する弾性材を備え、弾性材の一端を内視鏡挿入部の外壁側に固定し、他端をフリーにして磁性体を取り付け、磁性体に対向して電磁石を配置し、電磁石への通電量を変化させることにより、ライトガイドの射出端の方向を変化させることができる。なお、この弾性材にストレインゲージを取り付け、制御手段が、ストレインゲージからの出力信号をフィードバックして電磁石への通電量を制御するようにしてもよい。
【発明の効果】
【００１３】
本発明の電子内視鏡システムによれば、照明光の配光角ではなく配光方向を変更することにより、簡単な構成で撮像倍率に合わせて照明範囲を変更することができる。また、撮像倍率に応じてシャッター速度を変更することにより、高倍率時にもブレのない静止画像を撮影することが可能となる。
【００１４】
複数の照明光学系が設けれている場合には、撮像倍率の変更に応じて、倍率が低いときには複数の照明範囲の重複部分を小さくして広い範囲を照明し、倍率が高いときには重複部分を大きくして狭い範囲を照明することにより、倍率が高い場合には単位面積あたりの照明光量を増加させ、高速シャッター時の露光不足を防ぐことが可能となる。
【発明を実施するための最良の形態】
【００１５】
次に、添付図面に基づいて、本発明を実施するための形態を説明する。図１は、実施形態の電子内視鏡システムの概略構成を示すブロック図である。図１は、体腔内に挿入されるために細長く形成さた内視鏡挿入部の先端部分の構成と、この挿入部に接続された光源プロセッサ装置内の各回路の接続関係とを示している。
【００１６】
この電子内視鏡システム１は、内視鏡挿入部の先端に配置された対物レンズ１１により形成される対象物の像を電荷蓄積型の撮像素子１２により撮像する撮像光学系１０と、ランプ(光源)２１から発した照明光をライトガイド２２ａ，２２ｂを介して内視鏡挿入部の先端に導き、配光レンズ２３ａ，２３ｂを介して対象物を照明する第１，第２照明光学系２０ａ，２０ｂとを備えている。
【００１７】
対物レンズ１１は、挿入部の先端に固定して設けられた固定レンズ群１１ａと、光軸方向に移動可能な移動レンズ群１１ｂとから構成され、移動レンズ群１１ｂを光軸方向に移動させることにより、焦点距離を変化させることができる。移動レンズ群１１ｂと、撮像素子１２とは、それぞれ独立して光軸方向に移動する第１，第２鏡筒１３ａ，１３ｂ内に配置されている。これらの鏡筒１３ａ，１３ｂには、ねじ穴が形成され、このねじ穴にボールねじ１４が螺合している。ボールねじ１４には、移動レンズ群１１ｂを保持する第１鏡筒１３ａに螺合する部分と、撮像素子１２を保持する第２鏡筒１３ｂに螺合する部分とに逆方向のねじ山が形成されている。したがって、鏡筒１３ａ，１３ｂは、ボールねじ１４をモータ１５により一方向に回転駆動することにより互いに近接し、他方向に回転駆動することにより互いに離反する。これらの鏡筒１３ａ，１３ｂ、ボールねじ１４、およびモータ１５は、撮像光学系１０の撮像倍率を変化させる撮像倍率変更手段として機能する。
【００１８】
第１，第２照明光学系２０ａ，２０ｂは、それぞれの配光レンズ２３ａ，２３ｂが撮像光学系の対物レンズ１１を中心としてほぼ回転対称に配置されるよう設けられている。配光レンズ２３ａ，２３ｂに対向しているライトガイド２２ａ，２２ｂの射出端には、リング状の口金２４ａ，２４ｂが一体化して固定されており、これらの口金は、弾性材２５ａ，２５ｂによりそれぞれ片持ちで支持されている。
【００１９】
弾性材２５ａ，２５ｂの一端は内視鏡挿入部の外壁側に固定され、中心側となる他端はフリーであり、配光レンズ２３ａ，２３ｂとは反対側の面に、磁性体２６ａ，２６ｂが取り付けられている。内視鏡挿入部には、これらの磁性体２６ａ，２６ｂに対向して電磁石２７ａ，２７ｂが配置されている。電磁石２７ａ，２７ｂに通電すると、生じた磁力により磁性体２６ａ，２６ｂが吸引され、弾性材２５ａ，２５ｂを撓ませてライトガイドの射出端の方向を配光レンズに対して変更する。これにより、各照明光学系による照明範囲が移動する。これらの弾性材２５ａ，２５ｂ、磁性体２６ａ，２６ｂ、電磁石２７ａ，２７ｂは、照明光の照射方向を変更する照明方向変更手段として機能する。
【００２０】
なお、弾性材２５ａ，２５ｂには、図示せぬストレインゲージが貼り付けられている。ストレインゲージは、測定対象の変形を抵抗値の変化として検出する素子であり、ここでは弾性材２５ａ，２５ｂの変形量、すなわち、照明光の射出方向の変化量を検出するために設けられている。
【００２１】
次に、撮像光学系１０により撮像された画像信号を処理し、撮像倍率変更手段や照明方向変更手段を制御する電気系統の構成について説明する。電子内視鏡システム１の電気系統は、全体の制御を司るシステムコントローラ３０を中心に、第１の照明光学系２０ａの照明方向を制御するための第１アンプ３１ａ及び第１ドライバ３２ａ、第２の照明光学系の照明方向を制御するための第２アンプ３１ｂ及び第２ドライバ３２ｂ、モータ１５を駆動して撮像光学系１０の撮像倍率を制御するための第３ドライバ３３、撮像素子１２を制御する同期信号を出力するタイミングコントローラ３４、このタイミングコントローラ３４からの信号に同期して撮像素子１２を駆動する駆動信号を出力する第４ドライバ３５、そして、撮像素子１２から出力される映像信号を処理してモニタ３６に表示させる映像信号処理回路３７を備えている。
【００２２】
また、内視鏡挿入部に接続される操作部には、撮像倍率を変更するための変倍レバー４０と、静止画像を取得するタイミングを指示するための静止画スイッチ５０とが設けられている。これらのスイッチは、内視鏡による観察時に操作者(術者)により操作される。変倍レバー４０には、扇形のスリット板４１が一体に回転するように設けられ、このスリット板４１を挟んでフォトインタラプタ４２が配置されている。フォトインタラプタ４２はスリット板４１を挟んで対向するように配置された発光素子と受光素子とを含み、スリット板４１の回転に伴ってパルスを出力するインクリメンタル方式のロータリーエンコーダとして構成されている。ここでは、スリット板４１には二組のスリット列が半周期ずらして配置され、それぞれのスリットに対して発光素子と受光素子との組が設けられている。これにより、回転量と回転方向とを検出することができる。
【００２３】
変倍レバー４０を操作すると、フォトインタラプタ４２からのパルス信号がシステムコントローラ３０に入力され、システムコントローラ３０は、このパルス信号に応じて第３ドライバ３３を制御してモータ１５を駆動して撮像倍率を変化させる。変倍レバー４０は、倍率変更指示手段に相当する。
【００２４】
撮像光学系１０は、標準倍率での撮像時には、図２に示すように、移動レンズ群１１ｂと撮像素子１２とが近接した状態に設定され、最高倍率での撮像時には、図３に示すように、移動レンズ群１１ｂと撮像素子１２とが離反した状態に設定される。
【００２５】
また、図４に示すように、電磁石２７ａに通電すると、発生した磁力により弾性体２５ａに添付された磁性体２６ａが電磁石２７ａ側に吸引され、第１照明光学系２０ａのライトガイド２２ａの先端部が傾斜し、照明方向が内側に変化する。第２照明光学系２０ｂも同様に構成されている。
【００２６】
システムコントローラ３０は、上記のフォトインタラプタ４２からのパルス信号に応じて第１、第２ドライバ３１ａ，３１ｂを制御して電磁石２７ａ，２７ｂへの供給する駆動電流を制御して照明光の照射方向を変更する。電磁石２７ａに供給される駆動電流と、ライトガイド２２ａの傾斜角度とは、図５に示すようにリニアな関係となる。すなわち、駆動電流を大きくすると、それに比例して内側への傾斜角度も大きくなる。
【００２７】
したがって、オープンループによる制御も可能であるが、本実施形態では、傾斜角度を正確に制御するため、ストレインゲージを利用したフィードバック制御を実施している。すなわち、第１ドライバ３２ａは、システムコントローラ３０からの駆動信号から、ストレインゲージの出力を増幅する第１アンプ３１ａからのフィードバック信号を差し引いて電磁石２７ａに電流を供給する。第２照明光学系２０ｂについても同様であり、第２ドライバ３２ｂが、システムコントローラ３０からの駆動信号から、ストレインゲージの出力を増幅する第２アンプ３１ｂからのフィードバック信号を差し引いて電磁石２７ｂに電流を供給する。
【００２８】
第１，第２照明光学系２０ａ，２０ｂは、撮像光学系１０を中心に対称となる位置に配置され、撮像倍率が高くなるほど照射方向を内側に向けるため、撮像倍率が低いときには２つの照明範囲の重複部分を小さくして広い範囲を照明し、倍率が高くなるにしたがって、重複部分を大きくして狭い範囲を照明する。したがって、倍率が高い場合には単位面積あたりの照明光量が増加する。
【００２９】
さらに、システムコントローラ３０は、タイミングコントローラ３４を介して第４ドライバ３５及び映像信号処理回路３７を制御している。すなわち、システムコントローラ３０は、上記のフォトインタラプタ４２からのパルス信号に応じて、撮像素子１２の電荷蓄積時間を変更することによりシャッター速度を変更する。また、映像信号処理回路３７は、通常は撮像素子により撮像された映像信号を処理してモニタ３６に動画を表示し、静止画スイッチ５０からの信号が入力されると、モニタ３６に静止画を表示する。図６は、モニタ３６の表示例を示す。内側の枠内に撮影された画像が表示され、枠外に倍率が表示される。
【００３０】
撮像倍率を標準倍率から最高倍率まで高くすると、画面比で100倍程度の拡大となるため、特に静止画像にブレが生じやすくなることは前述の通りである。そこで、システムコントローラ３０は、拡大時のブレをなくすため、撮像素子１２の電荷蓄積時間を撮像倍率が高くなるほど短縮するように制御している。ただし、電荷蓄積時間が短くなると、露光量が不足して撮影した画像のコントラストが低下し、観察部位の診断が困難になるため、上記のように撮像倍率に応じて照明光学系の照射方向を変更し、照明光量を上げるようにしている。
【００３１】
システムコントローラ３０は、変倍レバー４０により撮像倍率を高めるよう指示された場合に、撮像倍率変更手段を制御して撮像倍率を高め、照明方向変更手段を制御して照明光の照射方向を撮影範囲の中心に向けて変更すると共に、シャッター速度変更手段を制御してシャッター時間を高速側に変更する制御手段としての機能を果たしている。
【００３２】
次に、図７に基づいてシステムコントローラ３０の構成について詳細に説明する。図７の破線で囲まれた部分がシステムコントローラ３０であり、変位検出部３０ａ、Ｄ／Ａ変換部３０ｂ、変位出力部３０ｃ、電荷蓄積時間設定部３０ｄ、そして、スイッチ制御部３０ｅを備えている。
【００３３】
変倍レバー４０のフォトインタラプタ４２からのパルスは、変位検出部３０ａに入力される。変位検出部３０ａは、その変位を検出して撮像倍率に対応する倍率係数値を出力する。図８は、術者による変倍レバー４０の操作に伴う倍率計数値の変化を示す。
【００３４】
Ｄ／Ａ変換部３０ｂは、この倍率計数値をデジタル／アナログ変換してライトガイドの射出端の傾斜角度が撮像倍率に応じた適切な傾斜角度を表す目標電圧を図５の関係から求めて演算回路Ｃ1，Ｃ2に出力する。演算回路Ｃ1，Ｃ2は、ストレインゲージからの信号を第１，第２アンプ３１ａ，３１ｂにより増幅して得られた撓み角度に対応する電圧と、上記の目標電圧とを比較し、その差に相当するエラー電圧を各ドライバ３２ａ，３２ｂに出力する。これにより、ストレインゲージからの撓み角度信号に基づくフィードバック制御が可能となり、ライトガイドの射出端の傾斜角度を正確に設定することができる。
【００３５】
変位出力部３０ｃは、上記の倍率計数値に基づいて２種類のパルス信号を出力する。これらのパルス信号は、倍率増加方向（拡大方向）、倍率減少方向に応じて使い分けられる。第３ドライバ３３は、このパルス信号にしたがい、適切な撮像倍率となるようにモータ１５を駆動する。
【００３６】
電荷蓄積時間設定部３０ｄは、上記の倍率計数値に基づいて撮像素子の電荷蓄積時間、すなわちシャッター速度を決定するための基準信号を出力する。タイミングコントローラ３４は、この基準信号に基づいて、シャッター速度を設定する。具体的には、タイミングコントローラ３４は、１画面の撮像可能期間内での電荷を蓄積しない非蓄積時間Ａを決定する。１画面の撮影時間は例えば１／３０秒に固定されているため、非蓄積時間Ａが決まれば蓄積時間が決まる。すなわち、蓄積しない時間Ａが短いほど蓄積時間は長く(シャッター速度は遅く)、時間Ａが長くなるほど蓄積時間は短く(シャッター速度は速く)なる。電荷蓄積時間設定部３０ｄから出力される基準信号と、非蓄積時間Ａとの関係を図９に示す。ここでは、基準信号に応じて、すなわち撮影倍率に応じて、Ａ1〜Ａ6の６段階の時間を定めている。
【００３７】
具体的な電荷蓄積時間の設定について図１０を参照して説明する。図１０において、ａは１画面の撮像可能期間を区切る信号、ｂは撮像素子１２の撮像時間(電荷蓄積時間)を定める信号、ｃは前の期間で撮像された映像信号を転送する期間を定める信号、ｄは電荷蓄積開始を指示する蓄積開始パルスであり、いずれもタイミングコントローラ３４により規定される。
【００３８】
タイミングコントローラ３４は、１画面の撮像可能期間の開始時点から撮影倍率により定められた非蓄積時間Ａ1〜Ａ6の経過後に蓄積開始パルス(信号ｄ)を出力する。図１０の例では、非蓄積時間ＡがＡ1〜Ａ6の間で変化した場合の撮像時間の変化を示している。いずれの場合も、蓄積開始パルスの立ち下がりからその画面の撮像可能期間の終期までが電荷の蓄積時間となり、次の画面の撮像可能期間内に前の期間で蓄積された電荷が転送され、映像信号処理回路３７に入力される。
【００３９】
映像信号処理回路３７には、装置に内蔵された内部画像メモリ３８と、着脱可能なメモリカード等の外部画像メモリ３９とが接続されている。映像信号処理回路３８は、入力された映像信号を内部画像メモリ３８を経由して処理し、モニタに表示できるように出力している。すなわち、内部画像メモリ３８は、タイミングコントローラ３４から書き込み禁止信号が出力された場合のみ書き込みが禁止され、通常は読み書き自由である。一方、外部画像メモリ３９は、タイミングコントローラ３４から書き込み可能信号が出力された場合にのみ書き込みが可能となり、通常は書き込み禁止されている。
【００４０】
そこで、術者が静止画スイッチ５０をオンすると、スイッチ制御部３０ｅはタイミングコントローラ３４に静止画信号を送り、タイミングコントローラ３４は内部画像メモリ３４に書き込み禁止信号を送り、静止画スイッチ５０がオンされる直前の映像信号を内部画像メモリ３８に保持させる。これにより、映像信号処理回路３７からは同一の画像を表す映像信号が出力され、モニタ３６上に静止画が表示される。
【００４１】
術者がコピースイッチ５１をオンすると、スイッチ制御部３０ｅはタイミングコントローラ３４に一旦静止画信号を送り、タイミングコントローラ３４は内部画像メモリ３８に書き込み禁止信号を送る。その後、スイッチ制御部３０ｅはタイミングコントローラ３４に画像移動信号を送り、タイミングコントローラ３４は外部画像メモリ３９に書き込み可能信号を送る。映像信号処理回路３７は、内部画像メモリ３８に記憶された映像信号を外部画像メモリ３９にコピーする。
【００４２】
以上説明した実施形態の電子内視鏡システム１によれば、術者が変倍レバー４０を操作すると、その操作位置に合わせてモータ１５が駆動され、撮像光学系１０の撮像倍率が設定されると共に、電磁石２７ａ，２７ｂに駆動電流が供給され、第１，第２照明光学系２０ａ，２０ｂの照明方向が変更される。さらに、設定された倍率に基づいて撮像素子１２の電荷蓄積時間、すなわち、シャッター速度が変更される。例えば、倍率が標準から拡大方向に変更されると、撮像倍率が高くなり、照明方向が内側に向けて変更され、シャッター速度は高速側に変更される。これにより、撮影倍率に応じて照明範囲の重複部分が変化し、倍率が高い場合には重複部分を多くして照度を上げることができる。したがって、高倍率時にもブレのない静止画の撮像が可能となり、かつ、高速のシャッター速度でも露光不足とならずにコントラストの高い画像を得ることができる。
【００４３】
なお、上記の実施形態では、倍率変更指示手段としてレバーと扇形のスリット板とを用いたが、これに限定されず、例えば、操作部分を連続回転可能な円盤状のダイヤルとし、このダイヤルと同軸で一体回転するように円盤状のスリット板を設けてもよい。このような構成を用いる場合には、電源オフ時の倍率にかかわらず、再度電源を投入した際には初期値として倍率を標準に戻し、エンコーダのカウンタもリセットすることが望ましい。
【図面の簡単な説明】
【００４４】
【図１】本発明の一実施形態による電子内視鏡システムの内部構成を示すブロック図である。
【図２】図１の電子内視鏡システムに含まれる撮像光学系の標準倍率時の状態を示す断面図である。
【図３】図１の電子内視鏡システムに含まれる撮像光学系の最大倍率時の状態を示す断面図である。
【図４】図１の電子内視鏡システムに含まれる照明光学系の先端部分を拡大して示す側面図である。
【図５】図１の電子内視鏡システムに含まれる照明光学系の電磁石への駆動電流と、ライトガイドの射出端の傾斜角度との関係を示すグラフである。
【図６】図１の電子内視鏡システムに含まれるモニタ上の表示例を示す説明図である。
【図７】図１の電子内視鏡システムのシステムコントローラの内部と周辺の回路とを示すブロック図である。
【図８】図１の電子内視鏡システムの術者による変倍レバーの操作に伴う倍率計数値の変化を示す。
【図９】図１の電子内視鏡システムにおける基準信号とタイミングコントローラにより定められる非蓄積時間との関係を示すグラフである。
【図１０】図１の電子内視鏡システムにおける撮像期間の具体例を示すタイムチャートである。
【符号の説明】
【００４５】
１    電子内視鏡システム
１０  撮像光学系
１１  対物レンズ
１２  撮像素子
２０ａ，２０ｂ  照明光学系
２１  ランプ
２２ａ，２２ｂ  ライトガイド
２３ａ，２３ｂ  配光レンズ
２５ａ，２５ｂ  弾性材
２６ａ，２６ｂ  磁性体
２７ａ，２７ｂ  電磁石
３０  システムコントローラ
３４  タイミングコントローラ
３６  モニタ
３７  映像信号処理回路
４０  変倍レバー
【図１】
2009022374.tif 000003
【図２】
2009022374.tif 000004
【図３】
2009022374.tif 000005
【図４】
2009022374.tif 000006
【図５】
2009022374.tif 000007
【図６】
2009022374.tif 000008
【図７】
2009022374.tif 000009
【図８】
2009022374.tif 000010
【図９】
2009022374.tif 000011
【図１０】
2009022374.tif 000012